(57)【特許請求の範囲】
【請求項１】
電線と、該電線に組み付けられるゴム栓と、前記電線の接続先となる回路基板と、該回路基板を収容するハウジングと、該ハウジングの開口部を介して前記回路基板の後に収容されるパッキンホルダーと、該パッキンホルダーの外周面に組み付けられて前記ハウジングの内面に密着するパッキンとを含み、
前記パッキンホルダーは、収容方向に対し交差する方向の壁となるゴム栓抜け止め壁と、該ゴム栓抜け止め壁を貫通する電線挿通孔と、該電線挿通孔に連通し前記ゴム栓抜け止め壁の内面に連続するゴム栓収容室とを有し、
前記ゴム栓抜け止め壁の前記内面及び前記回路基板の端面は、前記ゴム栓収容室に収容された状態の前記ゴム栓を挟持する
ことを特徴とする電線引き出し部分の防水構造。
【請求項２】
請求項１に記載の電線引き出し部分の防水構造において、
前記開口部に嵌合するとともに前記電線が引き出された状態の前記ゴム栓抜け止め壁の外面に対向するホルダーを更に含み、
前記ハウジングは、前記ホルダーとで前記パッキンホルダーを挟み込む段部を有する
ことを特徴とする電線引き出し部分の防水構造。
【請求項３】
請求項２に記載の電線引き出し部分の防水構造において、
前記パッキンホルダー及び前記ホルダーは、前記ゴム栓抜け止め壁の前記外面から引き出された前記電線を屈曲保持する屈曲保持部をそれぞれ有する
ことを特徴とする電線引き出し部分の防水構造。
【請求項４】
請求項１ないし請求項３いずれか記載の電線引き出し部分の防水構造において、
前記パッキンホルダーは、前記回路基板の前記端面に当接する基板当接リブを有する
ことを特徴とする電線引き出し部分の防水構造。
【発明の詳細な説明】
【技術分野】
【０００１】
本発明は、ハウジングから電線を引き出すなどの電線引き出し部分に採用される防水構造に関する。
【背景技術】
【０００２】
電気自動車やハイブリッド自動車において、バッテリーへの充電は給電側コネクタ及び受電側コネクタ（車両側インレット）から構成される充電コネクタが用いられている。
【０００３】
下記特許文献１には充電コネクタに関する技術が開示されている。この開示技術によれば、受電側コネクタは、車両における受電側収容室に設けられている。受電側収容室には、ランプも設けられている。ランプは、照明ユニットを構成する一部品であって、受電側収容室の開閉蓋を開閉する際に点灯又は消灯するようになっている。ランプは、夜間での給電側コネクタ及び受電側コネクタの結合・離脱作業をし易くするために設けられている。
【０００４】
ところで、下記特許文献１の照明ユニットは、これ自身から電線が引き出されているか否かが定かでないが、仮に電線が引き出されているのであれば、電線引き出し部分に防水構造を採用することが好ましい。尚、電線引き出し部分に採用することが有効な防水構造は、例えばコネクタの分野において数多く提案されている。そのうちの一つとしては、例えば下記特許文献２の開示技術が挙げられる。
【先行技術文献】
【特許文献】
【０００５】
【特許文献１】特開平６−３２５８３４号公報
【特許文献２】特開平８−２１３０９７号公報
【発明の概要】
【発明が解決しようとする課題】
【０００６】
特許文献２に開示された防水構造は、電線にゴム栓を挿通し、このゴム栓とハウジング内面とをシールするようになっている。このような防水構造にあっては、仮にハウジングの内圧が変化した場合に、ゴム栓が移動してしまうという問題点を有している。
【０００７】
ゴム栓に関しては、電線とのシールをするのみならず、ハウジング後部に形成された開口部を塞ぐようにしてシールをするものであることから、ゴム栓自体が大きなものになってしまい、このような大きなゴム栓を組み付けるには強い力で押し込む必要がある。従って、作業性がよくないという問題点を有している。
【０００８】
特許文献２に開示された防水構造を例えば照明ユニットに採用しようとする場合には、上記問題点の解消をする必要があると言える。
【０００９】
本発明は、上記した事情に鑑みてなされたもので、ゴム栓の移動防止と作業性の向上とを図ることが可能な、電線引き出し部分の防水構造を提供することを課題とする。
【課題を解決するための手段】
【００１０】
上記課題を解決するためになされた請求項１記載の本発明の電線引き出し部分の防水構造は、電線と、該電線に組み付けられるゴム栓と、前記電線の接続先となる回路基板と、該回路基板を収容するハウジングと、該ハウジングの開口部を介して前記回路基板の後に収容されるパッキンホルダーと、該パッキンホルダーの外周面に組み付けられて前記ハウジングの内面に密着するパッキンとを含み、前記パッキンホルダーは、収容方向に対し交差する方向の壁となるゴム栓抜け止め壁と、該ゴム栓抜け止め壁を貫通する電線挿通孔と、該電線挿通孔に連通し前記ゴム栓抜け止め壁の内面に連続するゴム栓収容室とを有し、前記ゴム栓抜け止め壁の前記内面及び前記回路基板の端面は、前記ゴム栓収容室に収容された状態の前記ゴム栓を挟持することを特徴とする。
【００１１】
請求項２記載の本発明の電線引き出し部分の防水構造は、請求項１に記載の電線引き出し部分の防水構造において、前記開口部に嵌合するとともに前記電線が引き出された状態の前記ゴム栓抜け止め壁の外面に対向するホルダーを更に含み、前記ハウジングは、前記ホルダーとで前記パッキンホルダーを挟み込む段部を有することを特徴とする。
【００１２】
請求項３記載の本発明の電線引き出し部分の防水構造は、請求項２に記載の電線引き出し部分の防水構造において、前記パッキンホルダー及び前記ホルダーは、前記ゴム栓抜け止め壁の前記外面から引き出された前記電線を屈曲保持する屈曲保持部をそれぞれ有することを特徴とする。
【００１３】
請求項４記載の本発明の電線引き出し部分の防水構造は、請求項１ないし請求項３いずれか記載の電線引き出し部分の防水構造において、前記パッキンホルダーは、前記回路基板の前記端面に当接する基板当接リブを有することを特徴とする。
【００１４】
本発明に関し、本発明を照明ユニットとして特徴づけると次のようになる。すなわち、請求項１の発明に対し照明機能に係る特徴を付加したもので、「電線と、該電線に組み付けられるゴム栓と、前記電線の接続先となる回路基板と、該回路基板を収容するハウジングと、該ハウジングの開口部を介して前記回路基板の後に収容されるパッキンホルダーと、該パッキンホルダーの外周面に組み付けられて前記ハウジングの内面に密着するパッキンとを含み、前記回路基板は光源を有し、前記ハウジングは、前記光源に対向する部分が少なくとも光透過性を有し、前記パッキンホルダーは、収容方向に対し交差する方向の壁となるゴム栓抜け止め壁と、該ゴム栓抜け止め壁を貫通する電線挿通孔と、該電線挿通孔に連通し前記ゴム栓抜け止め壁の内面に連続するゴム栓収容室とを有し、前記ゴム栓抜け止め壁の前記内面及び前記回路基板の端面は、前記ゴム栓収容室に収容された状態の前記ゴム栓を挟持することを特徴とする照明ユニット。」となる。効果は、本発明に係る防水構造の効果の他に、より良い照明ユニットを提供することができるという効果を奏する。
【００１５】
また、本発明に関し、本発明を充電コネクタの照明構造として特徴づけると次のようになる。すなわち、「請求項１ないし請求項４いずれか記載の防水構造を採用してなる照明ユニットを、給電側コネクタ及び受電側コネクタからなる充電コネクタの前記受電側コネクタ周辺に設けて、前記照明ユニットからの光により前記受電側コネクタを照明することを特徴とする充電コネクタの照明構造。」となる。効果は、本発明に係る防水構造の効果の他に、より良い充電コネクタの照明構造を提供することができるという効果を奏する。
【発明の効果】
【００１６】
請求項１に記載された本発明によれば、ハウジング内に回路基板を収容した後に、パッキンを設けたパッキンホルダーをハウジング内に収容することで、ゴム栓を回路基板の端面とパッキンホルダーのゴム栓抜け止め壁の内面とにより挟持することができる。これにより、ハウジングの内圧に変化が生じてもゴム栓が移動することはない。また、本発明によれば、パッキンにてパッキンホルダーの外面とハウジング内面とをシールするとともに、ゴム栓にてパッキンホルダーのゴム栓収容室と電線とをシールすることから、従来のようなゴム栓一つで全てをシールする構造ではなく、結果、ゴム栓等のシール部材を小さなものにすることができる。これにより、強い力で押し込むような作業性のよくない組み付けをする必要はない。さらに、本発明によれば、ハウジング内にパッキンホルダーを収容すると、これと同時にゴム栓の移動防止や各部分のシールを完了させることができる。これにより、組み付けに係る作業が繁雑になることはない。以上、本発明によれば、ゴム栓の移動防止と作業性の向上とを図ることができるという効果を奏する。
【００１７】
請求項２に記載された本発明によれば、請求項１に係る効果の他に、次のような効果も更に奏する。すなわち、ハウジング内に回路基板を収容した後に、パッキンを設けたパッキンホルダーをハウジング内に収容し、さらにホルダーをハウジングの開口部に嵌合させることで、パッキンホルダーを挟み込むことができる。従って、本発明によれば、請求項１に係る効果の他に、パッキンホルダーの位置決めをすることができるという効果や、ゴム栓の移動防止をより一層確実にすることができるという効果も奏する。
【００１８】
請求項３に記載された本発明によれば、請求項２に係る効果の他に、次のような効果も更に奏する。すなわち、ハウジング内に回路基板を収容した後に、パッキンを設けたパッキンホルダーをハウジング内に収容し、さらにホルダーをハウジングの開口部に嵌合させることで、電線を屈曲保持することができる。これにより、ハウジングから引き出される電線の保持が確実になるのは勿論のこと、仮に電線に引っ張りの力が加わったとしても、その力は回路基板の電気的な接続部分に作用することがない。従って、本発明によれば、請求項２に係る効果の他に、電線を確実に保持することができるという効果や、電線の接続状態を安定させることができるという効果も更に奏する。
【００１９】
請求項４に記載された本発明によれば、請求項１ないし請求項３いずれかに係る効果の他に、次のような効果も更に奏する。すなわち、ハウジング内に回路基板を収容した後に、パッキンを設けたパッキンホルダーをハウジング内に収容することで、回路基板を保持することができる。また、ゴム栓を適正な状態に挟持することができる。これにより、組み付けに係る作業は繁雑になることがない。また、不安定なシール状態になることもない。従って、本発明によれば、請求項１ないし請求項３いずれかに係る効果の他に、作業性をより一層高めることや、組み付け状態の安定化を図ることができるという効果も更に奏する。
【図面の簡単な説明】
【００２０】
【図１】本発明の防水構造を採用してなる照明ユニットと充電コネクタの配置等に係る図である。
【図２】照明ユニットの要部断面図である。
【図３】照明ユニットの斜視図である。
【図４】図２のパッキンホルダー周辺の拡大図である。
【図５】ゴム栓とパッキンホルダーとの組み付けに係る図である。
【図６】ハウジングに対する各部材の組み付けに係る図である。
【発明を実施するための形態】
【００２１】
電線引き出し部分に関し、パッキンにてパッキンホルダーの外面とハウジング内面とをシールするとともに、ゴム栓にてパッキンホルダーのゴム栓収容室と電線とをシールする防水構造を採用する。また、ゴム栓を回路基板の端面とパッキンホルダーのゴム栓抜け止め壁の内面とにより挟持する防水構造を採用する。この他、ゴム栓抜け止め壁の外面から引き出された電線を、パッキンホルダー及びホルダーの各屈曲保持部により屈曲保持する電線保持構造も採用する。
【実施例】
【００２２】
以下、図面を参照しながら実施例を説明する。図１は本発明の防水構造を採用してなる照明ユニットと充電コネクタの配置等に係る図である。また、図２は照明ユニットの要部断面図、図３は照明ユニットの斜視図、図４は図２のパッキンホルダー周辺の拡大図、図５はゴム栓とパッキンホルダーとの組み付けに係る図、図６はハウジングに対する各部材の組み付けに係る図である。
【００２３】
以下の説明において、具体的な形状、材料、数値、方向等は、本発明の理解を容易にするための例示であって、用途、目的、仕様等に合わせて適宜変更することができるものとする。
【００２４】
電気自動車やハイブリッド自動車には、モータを駆動するために高圧のバッテリーが搭載されている。このバッテリーへの充電としては、充電コネクタが用いられている。（以下説明での充電コネクタは、直流のもの、交流のもののいずれであってもよいものとする）。
【００２５】
図１において、充電コネクタ１は、給電側コネクタ２と、受電側コネクタ３（車両側インレット）とを備えて構成されている。給電側コネクタ２及び受電側コネクタ３は、これらが結合・離脱することができる構造を有している。受電側コネクタ３は、充電口４及びキャップ５を有している。このような受電側コネクタ３は、車両の所定位置に配置される受電側収容室６に設けられている。この受電側収容室６の底壁７には、受電側コネクタ３の他に、本発明の防水構造を採用してなる照明ユニット８が更に設けられている。
【００２６】
照明ユニット８は、受電側コネクタ３を照明するためや、充電状態の発光表示をするために設けられている。受電側コネクタ３及び照明ユニット８は、受電側収容室６の底壁７に対しボルト９により締め付け固定されている。
【００２７】
給電側コネクタ２及び受電側コネクタ３は、公知のものが用いられており、ここでの説明は省略するものとする。
【００２８】
照明ユニット８は、受電側コネクタ３に向けて光１０を照射し、所望の明るさで受電側コネクタ３を照明することができるようになっている。照明ユニット８は、夜間や暗所での給電側コネクタ２及び受電側コネクタ３の結合・離脱作業をし易くするために設けられている。照明ユニット８は、本発明の防水構造１１を有している。また、照明ユニット８は、特に限定するものでないが、タイマー機能も有している。
【００２９】
図１ないし図３において、照明ユニット８は、本発明の防水構造１１を有する照明機能部１２と、車両の図示しない充電回路に接続するためのコネクタ１３（図３参照）と、これら照明機能部１２及びコネクタ１３を電気的に繋ぐハーネス部１４と、このハーネス部１４を適宜固定するための図示しない固定手段（例えば公知のクリップなど）とを含んで構成されている。コネクタ１３、ハーネス部１４、及び固定手段（図示省略）は公知のものが用いられている。ハーネス部１４は、複数本の電線１５と、この複数の電線１５を保護するコルゲートチューブ１６とを備えて構成されている。
【００３０】
図１ないし図４において、照明機能部１２は、ＬＥＤ１７や発光表示部１８などの光源と、この光源を実装してなるタイマー基板アッシー１９と、光透過性ハウジング２０（ハウジング）と、非光透過性カバー２１（プロテクタ）と、カラー２２と、パッキンホルダー２３と、パッキン２４と、ゴム栓２５と、ホルダー２６とを備えて構成されている。
【００３１】
本発明の防水構造１１は、電線１５の引き出し部分に採用されている。防水構造１１は、パッキンホルダー２３、パッキン２４、及びゴム栓２５を含んで構成されている。防水構造１１は、ゴム栓２５をパッキンホルダー２３及び後述する回路基板２７により挟み込む構造を有している。
【００３２】
タイマー基板アッシー１９は、矩形状の回路基板２７を有している。この回路基板２７には、ＬＥＤ１７及び発光表示部１８を発光させるための所定回路や、タイマー回路等が設けられている。上記回路の接続部分には、電線１５の導体が半田付け等により電気的に接続されている。回路基板２７は、この端面２８（図４参照）がゴム栓２５を挟み込む部分として形成されている。また、端面２８は、パッキンホルダー２３の当接部分としても形成されている。
【００３３】
ＬＥＤ１７は、受電側コネクタ３に向けて光１０を照射することができるように配置されている。具体的には、後述するロック凸部３２の位置に合わせて配置されている。また、発光表示部１８も充電状態を発光表示することができるように配置されている。尚、ＬＥＤ１７に限らず、公知のランプを用いてもよいものとする。
【００３４】
光透過性ハウジング２０は、光透過性を有する合成樹脂材料を用いて成形されている。光透過性ハウジング２０は、本実施例において全体が透明になるように樹脂成形されている。光透過性ハウジング２０は、上記の如く透明であることから、全体が光を透過する光透過部２９となっている。
【００３５】
光透過性ハウジング２０は、タイマー基板アッシー１９を収容固定する部分としてハウジング本体部３０を有している。また、光透過性ハウジング２０は、非光透過性カバー２１との嵌合部分としてロック凸部３２を有している。さらに、光透過性ハウジング２０は、ハウジング本体部３０の側壁３１よりも外側へ膨出する部分として膨出部３３、３４を有している。さらにまた、光透過性ハウジング２０は、ハウジング本体部３０及び膨出部３３、３４に連続するフランジ状の部分としてハウジング固定部３５を有している。
【００３６】
ハウジング本体部３０は、断面が矩形となる筒形状に形成されている。このような形状のハウジング本体部３０は、図２中左端の位置に天井壁３６を有するとともに、図２中右端の位置に開口部３７を有している。開口部３７は、この開口面がハウジング固定部３５の底面と同一平面上に位置するように配置形成されている。開口部３７は、タイマー基板アッシー１９やパッキンホルダー２３やホルダー２６を収容する際の挿入口として開口形成されている。このような開口部３７には、ホルダー２６の嵌合部分となる嵌合凹部３８が形成されている。嵌合凹部３８は、凹状に形成されている。
【００３７】
ハウジング本体部３０は、開口部３７の奥位置に段部３９を有している。段部３９は、この内面部分がパッキンホルダー２３の挿入量を決めるストッパとして機能するように形成されている（図４参照）。また、ストッパとして機能する部分の左方（奥側）は、パッキン２４に対するシール面として機能するように形成されている（図４参照）。
【００３８】
ロック凸部３２は、上記の如く非光透過性カバー２１との嵌合部分として設けられている。また、ロック凸部３２は、ＬＥＤ１７からの光１０を導光する部分として設けられている。さらに、ロック凸部３２は、受電側コネクタ３に向けて光１０を照射する部分として設けられている。ロック凸部３２は、光透過性ハウジング２０全体が透明であることから、この部分も当然に透明になっている。
【００３９】
ロック凸部３２は、ハウジング本体部３０の側壁３１から徐々に離れるように、且つ、曲面となるように形成される発光面４０と、この発光面４０の頂部から側壁３１に対し直角な面として形成される係止面４１と、二つの側面４２とを有している。ロック凸部３２は、公知の係止突起と同様の形状に形成されるとともに、光の拡散効果を得るためとしてレンズ機能を有する形状にも形成されている。本実施例において、特に限定するものでないが、発光面４０には図示しないシボ加工が施されている（シボ加工は光の拡散効果を高めるために有効となる）。尚、発光面４０の傾きや大きさは、光１０の照射範囲に配慮しつつ設定されるものとする。本実施例の発光面４０は、受電側コネクタ３の充電口４の位置と、充電口４の若干左方の位置とを明るく照らすことができるように傾きや大きさが設定されている。
【００４０】
発光面４０に関し、この発光面４０は曲面に限らず、平坦な斜面であってもよいものとする。この場合、斜面の角度に応じてＬＥＤ１７からの光１０が屈折することから、照射範囲を調節することができるという効果を奏する。
【００４１】
ハウジング固定部３５は、受電側収容室６の底壁７に対し、ボルト止めにて固定される部分であって、金属製のカラー２２が設けられている。
【００４２】
非光透過性カバー２１は、光透過性のない合成樹脂材料を用いて成形されている。非光透過性カバー２１は、本実施例において、光透過性ハウジング２０を着脱自在に覆うことができる形状に形成されている。非光透過性カバー２１は、光透過性ハウジング２０のハウジング本体部３０における側壁３１及び天井壁３６を覆う第一カバー部４３と、光透過性ハウジング２０の膨出部３３、３４を覆う第二カバー部４４と、これらを繋ぐカバー段部４５とを有している。
【００４３】
第一カバー部４３の側壁４６には、矩形状に貫通するロック孔部４７が設けられている。このロック孔部４７は、光透過性ハウジング２０との嵌合部分として設けられている。また、ロック孔部４７は、ＬＥＤ１７からの光１０を通過させる部分として設けられている。ロック孔部４７は、ロック凸部３２及びＬＥＤ１７の位置に合わせて配置形成されている。
【００４４】
ロック孔部４７は、ロック凸部３２が挿入状態で嵌り込むような形状に形成されている。ロック孔部４７における引用符号４８は係止面を示している。この係止面４８は、ロック凸部３２の係止面４１に対し面接触で引っ掛かるようになっている。
【００４５】
第一カバー部４３の天井壁４９には、発光表示部１８からの光５０を通過させる光通過窓５１が設けられている。光通過窓５１は、本実施例において円形状に貫通するように形成されている。
【００４６】
図２及び図４において、パッキンホルダー２３は、絶縁性を有する合成樹脂材料を用いて成形されている。パッキンホルダー２３は、この外周面にパッキン２４を設けた状態で、また、複数の電線１５を挿通した状態で光透過性ハウジング２０のハウジング本体部３０に挿入・収容されるようになっている。
【００４７】
図４において、パッキンホルダー２３は、パッキン組み付け部５２と、位置決め部５３と、ゴム栓抜け止め壁５４と、電線挿通孔５５と、ゴム栓収容室５６と、基板当接リブ５７と、電線保持壁５８とを有している。パッキンホルダー２３は、特に限定するものでないが、図示のような断面形状の部材として形成されている。パッキンホルダー２３の上記構成において、ゴム栓抜け止め壁５４及び電線保持壁５８は、パッキンホルダー２３側の屈曲保持部５９として設けられている。
【００４８】
パッキン組み付け部５２は、パッキン２４を組み付ける部分であって、パッキンホルダー２３の外周面に配置形成されている。本実施例においては、パッキンホルダー２３の収容時において回路基板２７側となる位置に配置形成されている。シール部材としてのパッキン２４は、公知のものが用いられている。位置決め部５３は、ハウジング本体部３０における段部３９のストッパとして機能する部分に対し当接するように形成されている。
【００４９】
ゴム栓抜け止め壁５４は、パッキンホルダー２３の収容方向（挿入方向）に対し交差する方向（直交する方向）の壁となるように形成されている。ゴム栓抜け止め壁５４に関し、パッキンホルダー２３の収容時に回路基板２７側となる面を内面６０、反対側を外面６１と定義すると、内面６０側には略円筒形状のゴム栓収容室５６が形成されている。
【００５０】
ゴム栓収容室５６は、ゴム栓２５を組み付けた状態の電線１５を水密に収容することができるように形成されている。ゴム栓収容室５６は、回路基板２７側に突出するように形成されている。ゴム栓２５は、ゴム栓収容室５６の長さ分まで押し潰しをすることが可能に形成されている。ゴム栓２５は、公知のものが用いられている。
【００５１】
ゴム栓抜け止め壁５４の内面６０であって、ゴム栓収容室５６の一部となる部分は、ゴム栓２５を挟持するための部分となっている。この部分は、ゴム栓２５の抜け止めとして機能するようになっている。上記部分の中央には、電線挿通孔５５が貫通形成されている。電線挿通孔５５は、電線１５を挿通する部分として形成されている。
【００５２】
ゴム栓収容室５６は、この突出先端となる一部が基板当接リブ５７として形成されている。基板当接リブ５７は、回路基板２７の端面２８に当接する部分として形成されている。基板当接リブ５７は、回路基板２７を保持したり、ゴム栓２５が過剰に押し潰されないように規制したりする部分として形成されている。
【００５３】
ゴム栓抜け止め壁５４の外面６１には、この外面６１と共に屈曲保持部５９として機能する電線保持壁５８が突出形成されている。電線保持壁５８は、電線挿通孔５５から離れる位置に配置形成されている。具体的には、図中下側に電線挿通孔５５及びゴム栓収容室５６が配置されるのに対し、電線保持壁５８は図中上側に配置されている。ゴム栓抜け止め壁５４及び電線保持壁５８は、逆Ｌ字状の壁となるように配置形成されている。
【００５４】
ホルダー２６は、絶縁性を有する合成樹脂材料を用いて成形されている。ホルダー２６は、ハウジング本体部３０の開口部３７に嵌合するように形成されている。ホルダー２６は、ハウジング本体部３０の段部３９とでパッキンホルダー２３を挟み込み、この脱落を防止することができるように形成されている。また、ゴム栓抜け止め壁５４の外面６１から引き出された電線１５を屈曲保持することができるようにも形成されている。
【００５５】
ホルダー２６は、第一電線保持壁６２と、第二電線保持壁６３と、電線支持台部６４と、ガイド部６５と、嵌合凸部６６とを有している。ホルダー２６は、特に限定するものでないが、図示のような断面形状の部材として形成されている。ホルダー２６の上記構成において、第一電線保持壁６２、第二電線保持壁６３、及び電線支持台部６４は、ホルダー２６側の屈曲保持部６７として設けられている。
【００５６】
第一電線保持壁６２及び第二電線保持壁６３は、Ｌ字状の壁となるように配置形成されている。第一電線保持壁６２は、図中下側の配置であるとともに、パッキンホルダー２３の電線挿通孔５５よりも下側位置（外側位置）に先端が当接するように突出形成されている。
【００５７】
第二電線保持壁６３は、パッキンホルダー２３のゴム栓抜け止め壁５４に対し所定の間隔で対向するように形成されている。また、ホルダー２６の収容方向（挿入方向）に対し交差する方向（直交する方向）の壁となるように形成されている。
【００５８】
電線支持台部６４は、図中右側に配置形成されるとともに、パッキンホルダー２３の電線保持壁５８の近傍に配置形成されている。電線支持台部６４は、電線保持壁５８と共に電線１５を挟み込むことができるように形成されている。
【００５９】
ガイド部６５は、ハウジング本体部３０の開口部３７に挿入されるガイド部分であって、パッキンホルダー２３の位置決め部５３と同様の機能を有している。ガイド部６５は、本実施例において、開口部３７に形成された段部６８に当接して位置決めがなされるように形成されている。尚、位置決めがなされた時に、嵌合凸部６６が開口部３７の嵌合凹部３８に嵌合するようになっている。嵌合凸部６６は、所謂係止突起であって、凸状に形成されている。
【００６０】
パッキンホルダー２３の屈曲保持部５９及びホルダー２６の屈曲保持部６７は、ゴム栓抜け止め壁５４の外面６１から引き出された電線１５を屈曲保持することができるように形成されている。
【００６１】
電線１５は、図示の如く略クランク形状に屈曲した状態でパッキンホルダー２３及びホルダー２６により保持されている。本実施例のように屈曲保持するのは、仮に電線１５に引き抜き方向の外力が加わった場合であっても、タイマー基板アッシー１９に対する電線１５の接続部分に外力を作用させないようにできるためである。
【００６２】
図５において、電線１５は、この外面にゴム栓２５が組み付けられている。ゴム栓２５は、自身の弾力性により電線１５の外面に密着するように組み付けられている。ゴム栓２５は、電線１５の外面をスライド可能な状態に組み付けられている。ゴム栓１５の他にパッキンホルダー２３も電線１５に組み付けられている。パッキンホルダー２３のパッキン組み付け部５２には、パッキン２４が組み付けられている。尚、電線１５は、この導体が回路基板２７の接続部分に電気的に接続されている。
【００６３】
上記の組み付け状態からパッキンホルダー２３を回路基板２７の端面２８に向けてスライド移動させると、図６に示す如くパッキンホルダー２３のゴム栓収容室５６にゴム栓２５が収容される。そして、パッキンホルダー２３の後方にホルダー２６をセットして、ハウジング本体部３０内にタイマー基板アッシー１９、パッキンホルダー２３、及びホルダー２６を収容すると、図２及び図４に示す如くの状態に組み付けられる。
【００６４】
ゴム栓２５は、ゴム栓収容室５６に対し水密に収容されるとともに、ゴム栓抜け止め壁５４の内面６０と回路基板２７の端面２８とにより挟持されて、移動が規制された状態になる。ゴム栓抜け止め壁５４の外面６１から引き出された電線１５は、パッキンホルダー２３の屈曲保持部５９及びホルダー２６の屈曲保持部６７により、略クランク形状に二回屈曲した状態で保持される。
【００６５】
上記構成及び構造において、図１に示す如くＬＥＤ１７から受電側コネクタ３に向けて光１０を照射すると、受電側コネクタ３は明るく照らされ、給電側コネクタ２及び受電側コネクタ３の結合・離脱作業が容易になる。また、発光表示部１８からの光５０にて充電が完了したか否かの状態が確認可能になる。
【００６６】
実施例をまとめると、本発明の電線引き出し部分に係る防水構造１１は、電線１５と、この電線１５に組み付けられるゴム栓２５と、電線１５の接続先となる回路基板２７と、回路基板２７を収容する光透過性ハウジング２０と、この光透過性ハウジング２０の開口部３７を介して回路基板２７の後に収容されるパッキンホルダー２３と、パッキンホルダー２３の外周面に組み付けられて光透過性ハウジング２０のハウジング本体部３０内面に密着するパッキン２４と、開口部３７に嵌合するホルダー２６とを含んで構成されている。
【００６７】
このような構成において、パッキンホルダー２３は、ゴム栓抜け止め壁５４と、このゴム栓抜け止め壁５４を貫通する電線挿通孔５５と、電線挿通孔５５に連通しゴム栓抜け止め壁５４の内面６０に連続するゴム栓収容室５６とを有している。ゴム栓抜け止め壁５４の内面６０及び回路基板２７の端面２８は、ゴム栓収容室５６に収容された状態のゴム栓２５を挟持するようになっている。
【００６８】
以上、図１ないし図６を参照しながら説明してきたように、電線引き出し部分に係る防水構造１１は、ハウジング本体部３０内に回路基板２７を含むタイマー基板アッシー１９を収容した後に、パッキン２４付きのパッキンホルダー２３をハウジング本体部３０内に収容することで、ゴム栓２５を回路基板２７の端面２８とパッキンホルダー２３のゴム栓抜け止め壁５４の内面６０とにより挟持することができる。これにより、ハウジング本体部３０の内圧に変化が生じてもゴム栓２５が移動することはない。
【００６９】
また、電線引き出し部分に係る防水構造１１は、パッキン２４にてパッキンホルダー２３のパッキン組み付け部５２とハウジング本体部３０の内面とをシールするとともに、ゴム栓２５にてパッキンホルダー２３のゴム栓収容室５６と電線１５とをシールすることから、従来のようなゴム栓一つで全てをシールする構造ではなく、結果、ゴム栓２５やパッキン２４を小さなものにすることができる。これにより、強い力で押し込むような作業性のよくない組み付けをする必要はない。
【００７０】
さらに、電線引き出し部分に係る防水構造１１は、ハウジング本体部３０内にパッキンホルダー２３を収容すると、これと同時にゴム栓２５の移動防止や各部分のシールを完了させることができる。これにより、組み付けに係る作業が繁雑になることはない。
【００７１】
本発明は本発明の主旨を変えない範囲で種々変更実施可能なことは勿論である。
【００７２】
上記説明は、本発明を照明ユニットに採用して充電コネクタを照明する例を挙げているが、照明ユニットは充電コネクタの照明のみならず、様々な照明ユニットが挙げられるものとする。
【００７３】
照明ユニットの具体的な例としては、内部照明の光源として自動車の車室内を照らしたり、コンソールボックスやグローブボックス、小物収容ポケットや灰皿などの小物入れの内部を照らしたり、カップホルダー自体を照らしたり、足下を照らしたりする照明ユニット（ＬＥＤユニットやＬＥＤランプモジュールと呼ぶこともある）、或いは、外部照明の光源としてストップランプやテールランプに用いられたりする照明ユニットなどである。
【符号の説明】
【００７４】
１…充電コネクタ  ２…給電側コネクタ  ３…受電側コネクタ  ４…充電口  ５…キャップ  ６…受電側収容室  ７…底壁  ８…照明ユニット  ９…ボルト  １０…光  １１…防水構造  １２…照明機能部  １３…コネクタ  １４…ハーネス部  １５…電線  １６…コルゲートチューブ  １７…ＬＥＤ（光源）  １８…発光表示部  １９…タイマー基板アッシー  ２０…光透過性ハウジング（ハウジング）  ２１…非光透過性カバー  ２２…カラー  ２３…パッキンホルダー  ２４…パッキン  ２５…ゴム栓  ２６…ホルダー  ２７…回路基板  ２８…端面  ２９…光透過部  ３０…ハウジング本体部  ３１…側壁  ３２…ロック凸部  ３３、３４…膨出部  ３５…ハウジング固定部  ３６…天井壁  ３７…開口部  ３８…嵌合凹部  ３９…段部  ４０…発光面  ４１…係止面  ４２…側面  ４３…第一カバー部  ４４…第二カバー部  ４５…カバー段部  ４６…側壁  ４７…ロック孔部  ４８…係止面  ４９…天井壁  ５０…光  ５１…光通過窓  ５２…パッキン組み付け部  ５３…位置決め部  ５４…ゴム栓抜け止め壁  ５５…電線挿通孔  ５６…ゴム栓収容室  ５７…基板当接リブ  ５８…電線保持壁  ５９…屈曲保持部  ６０…内面  ６１…外面  ６２…第一電線保持壁  ６３…第二電線保持壁  ６４…電線支持台部  ６５…ガイド部  ６６…嵌合凸部  ６７…屈曲保持部  ６８…段部
【図１】
0005651505.tif 000002
【図２】
0005651505.tif 000003
【図３】
0005651505.tif 000004
【図４】
0005651505.tif 000005
【図５】
0005651505.tif 000006
【図６】
0005651505.tif 000007